(57)【特許請求の範囲】
【請求項１】
複数のローラーと、
前記複数のローラーによって張架された中間転写ベルトと、を有する中間転写ユニットと、
前記中間転写ベルトの所定の転写領域にトナー像を転写する一次転写部と、
画像形成を行うときに、所定の回転方向における前記中間転写ベルトの回転駆動を制御する制御部と、
を備え、
前記複数のローラーは、
前記一次転写部に設けられる感光体ドラムに対向して配置され、前記中間転写ベルト上に前記トナー像を転写する一次転写ローラーと、
前記中間転写ベルトに形成された前記トナー像を記録媒体に転写する二次転写ローラーに対向して配置された二次転写対向ローラーと、
前記中間転写ベルトの回転方向において、前記二次転写対向ローラーよりも上流側かつ前記一次転写ローラーよりも下流側の位置に配置されたバックアップローラーと、を含み、
前記中間転写ユニットは、前記二次転写対向ローラーと前記バックアップローラーとによって前記中間転写ベルトが屈曲されるように構成されていて、
前記中間転写ベルトは、前記画像形成を行う前に、前記転写領域が前記回転方向において前記一次転写部よりも上流側の転写準備位置に位置するように準備状態に保持され、
前記制御部は、前記画像形成を行う前に、前記準備状態を調整する前記中間転写ベルトの予備回転を行って、前記予備回転前にベルト屈曲位置にあった前記中間転写ベルトの屈曲領域が、前記回転方向において前記バックアップローラーよりも上流側で且つ前記転写準備位置よりも下流側の退避位置に位置するように、前記中間転写ベルトの回転駆動を制御することを特徴とする画像形成装置。
【請求項２】
前記制御部は、前記二次転写対向ローラー及び前記バックアップローラーに当接して屈曲していた前記中間転写ベルトの領域を前記屈曲領域として前記中間転写ベルトの予備回転を行うことを特徴とする請求項１に記載の画像形成装置。
【請求項３】
前記回転方向において前記ベルト屈曲位置から前記退避位置まで前記中間転写ベルトを回転駆動させるための駆動速度及び駆動時間を記憶した記憶部を更に備え、
前記制御部は、前記中間転写ベルトの前記予備回転を行うとき、前記記憶部に記憶された前記駆動速度と前記駆動時間に基づいて、前記中間転写ベルトの回転駆動を制御することを特徴とする請求項１又は２に記載の画像形成装置。
【請求項４】
前記制御部は、前記中間転写ベルトの前回の駆動から再駆動されるまでの停止期間が、所定の閾値期間以上であるか否かを判定し、前記停止期間が前記閾値期間以上である場合には前記予備回転を行って前記準備状態を調整してから前記画像形成を行い、一方、前記停止期間が前記閾値期間より短い場合には前記予備回転を行うことなく前記画像形成を行うことを特徴とする請求項１ないし請求項３の何れか１項に記載の画像形成装置。
【請求項５】
前記中間転写ベルト、前記転写部及び前記制御部を収容する装置本体を更に備え、
前記制御部は、前記中間転写ベルトの前回の駆動から再駆動されるまでの前記装置本体内の平均温度が、所定の閾値温度以下であるか否かを判定し、前記平均温度が前記閾値温度以下である場合には前記予備回転を行って前記準備状態を調整してから前記画像形成を行い、一方、前記平均温度が前記閾値温度より高い場合には前記予備回転を行うことなく前記画像形成を行うことを特徴とする請求項１ないし請求項３の何れか１項に記載の画像形成装置。
【請求項６】
前記制御部は、前記中間転写ユニットが交換されたか否かを判定し、前記中間転写ユニットが交換された場合には前記予備回転を行って前記準備状態を調整してから前記画像形成を行うことを特徴とする請求項１ないし請求項５の何れか１項に記載の画像形成装置。
【発明の詳細な説明】
【技術分野】
【０００１】
本発明は、一次転写によって中間転写ベルト等の像担持体の表面に形成されたトナー像を用紙等の記録媒体に二次転写する画像形成装置に関する。
【背景技術】
【０００２】
従来から、複写機、プリンター、ファクシミリ又は複合機等の画像形成装置には、複数のローラーに張架された中間転写ベルト（中間転写体）に保持されたトナー画像を用紙に転写するように構成されたものがある。このような画像形成装置では、中間転写ベルトが複数のローラーに張架された状態で一定期間以上（長時間）放置されることにより、ローラーに沿って屈曲されていた部分に皺ができたり癖が付いたりする等、変形が生じることがある。中間転写ベルトの変形量が大きくなると、トナー像を感光体ドラムから中間転写ベルトに転写させる一次転写工程や、トナー像を中間転写ベルトから用紙に転写させる二次転写工程で、画像濃度のムラや転写性能の悪化等の不具合を生じさせてしまう。
【０００３】
例えば、特許文献１に開示された画像形成装置では、複数のローラーに架け渡されて回転する中間転写ベルトを有し、中間転写ベルトの待機停止時に複数のローラーのうちの最も径の小さいローラーに接している領域を、中間転写ベルトの回転方向についての非画像部領域とする。例えば、この画像形成装置では、中間転写ベルトの回転を停止させる時には中間転写ベルトをマーク検知用センサーのマーク検知後に常に一定の位置に停止させ、中間転写ベルトの紙転写対向ローラーによるカールくせ跡が生ずる位置を一定の位置とする。そして、画像形成時には中間転写ベルトの紙転写対向ローラーによるカールくせ跡とマークとの位置関係から、中間転写ベルトの紙転写対向ローラーに待機停止時に接している領域を計算して、該領域を中間転写ベルトの回転方向についての最大転写紙サイズに対する非画像部領域としている。
【先行技術文献】
【特許文献】
【０００４】
【特許文献１】特開平０９−１２３５５３号公報
【発明の概要】
【発明が解決しようとする課題】
【０００５】
上記のような画像形成装置では、最小径のローラーに接している中間転写ベルトの領域を非画像部領域として設定しているが、中間転写ベルトが最小径でないローラーに当接して屈曲した位置で変形が発生することがある。例えば、中間転写ベルトは、直線状に並んだ一次転写ローラーを含む複数のローラーの周りに張架されて、複数のローラーの内で一次転写ローラーが最小径に形成される場合がある。この場合、中間転写ベルトの最屈曲部分は、最小径でないローラーに当接しているため、上記の画像形成装置では、中間転写ベルトの最屈曲部分に対して画像形成処理が行われることがある。
【０００６】
また、上記の画像形成装置では、中間転写ベルトにマークを備えて位相を検出するように構成されている。しかしながら、中間転写ベルトの位相を検知するために、穴や羽根やペイント等のマーカーを設けると、コストが上昇すると共に、強度が低下するおそれがある。
【０００７】
そこで、本発明は上記の事情を考慮し、中間転写ベルトの位相を特定する部材を備えることなく、中間転写ベルトに癖付きが生じる屈曲領域に対する画像形成を回避することを目的とする。
【課題を解決するための手段】
【０００８】
本発明の画像形成装置は、複数のローラーと、前記複数のローラーによって張架された中間転写ベルトと、を有する中間転写ユニットと、前記中間転写ベルトの所定の転写領域にトナー像を転写する一次転写部と、画像形成を行うときに、所定の回転方向における前記中間転写ベルトの回転駆動を制御する制御部と、を備える。前記複数のローラーは、前記一次転写部に設けられる感光体ドラムに対向して配置され、前記中間転写ベルト上に前記トナー像を転写する一次転写ローラーと、前記中間転写ベルトに形成された前記トナー像を記録媒体に転写する二次転写ローラーに対向して配置された二次転写対向ローラーと、前記中間転写ベルトの回転方向において、前記二次転写対向ローラーよりも上流側かつ前記一次転写ローラーよりも下流側の位置に配置されたバックアップローラーと、を含む。前記中間転写ユニットは、前記二次転写対向ローラーと前記バックアップローラーとによって前記中間転写ベルトが屈曲されるように構成されている。前記中間転写ベルトは、前記画像形成を行う前に、前記転写領域が前記回転方向において前記一次転写部よりも上流側の転写準備位置に位置するように準備状態に保持される。そして、前記制御部は、前記画像形成を行う前に、前記準備状態を調整する前記中間転写ベルトの予備回転を行って、前記予備回転前にベルト屈曲位置にあった前記中間転写ベルトの屈曲領域が、前記回転方向において前記バックアップローラーよりも上流側で且つ前記転写準備位置よりも下流側の退避位置に位置するように、前記中間転写ベルトの回転駆動を制御することを特徴とする。
【０００９】
このように、中間転写ベルトに癖付きが生じ易い回転位置（ベルト屈曲位置）がある場合、ベルト屈曲位置にあった中間転写ベルトの屈曲領域を、中間転写ベルトの転写領域とならない退避位置へと移動させるため、１枚ずつの印字や複数枚の内の１枚目の印字において、中間転写ベルトの屈曲領域に画像形成処理が行われることを防ぐことができる。これにより、トナー像を感光体ドラムから中間転写ベルトに転写させる一次転写工程や、トナー像を中間転写ベルトから用紙に転写させる二次転写工程で、中間転写ベルトの変形に起因する画像濃度のムラや転写性能の悪化等の不具合を回避することができる。
【００１０】
前記制御部は、前記二次転写対向ローラー及び前記バックアップローラーに当接して屈曲していた前記中間転写ベルトの領域を前記屈曲領域として前記中間転写ベルトの予備回転を行うと良い。
【００１１】
このような構成を採用することで、二次転写対向ローラーや、バックアップローラー等の小径ローラーでの当接及び屈曲により中間転写ベルトに屈曲領域が生じた場合でも、中間転写ベルトの変形に起因する画像濃度のムラや転写性能の悪化等の不具合を回避することができる。
【００１２】
前記画像形成装置は、前記回転方向において前記ベルト屈曲位置から前記退避位置まで前記中間転写ベルトを回転駆動させるための駆動速度及び駆動時間を記憶した記憶部を更に備え、前記制御部は、前記中間転写ベルトの前記予備回転を行うとき、前記記憶部に記憶された前記駆動速度と前記駆動時間に基づいて、前記中間転写ベルトの回転駆動を制御すると良い。
【００１３】
このような構成を採用することで、中間転写ベルトの予備回転を容易且つ正確に行うことが可能となる。
【００１４】
前記制御部は、前記中間転写ベルトの前回の駆動から再駆動されるまでの停止期間が、所定の閾値期間以上であるか否かを判定し、前記停止期間が前記閾値期間以上である場合には前記予備回転を行って前記準備状態を調整してから前記画像形成を行い、一方、前記停止期間が前記閾値期間より短い場合には前記予備回転を行うことなく前記画像形成を行うと良い。
【００１５】
このような構成を採用することで、中間転写ベルトが回転駆動せずに二次転写対向ローラー等の複数のローラーに巻き掛けられた状態（放置状態）が長時間続いたときのように、中間転写ベルトに屈曲領域が生じ易い状況では、中間転写ベルトの予備回転を行うため、中間転写ベルトの変形に起因する画像濃度のムラや転写性能の悪化等の不具合を確実に回避することができる。一方、中間転写ベルトの放置状態が短時間であり、中間転写ベルトに屈曲領域が生じ難い状況では、中間転写ベルトの予備回転を行うことなく画像形成を行うため、処理時間を短縮すると共に電力消費を軽減することが可能である。
【００１６】
前記画像形成装置は、前記中間転写ベルト、前記転写部及び前記制御部を収容する装置本体を更に備え、前記制御部は、前記中間転写ベルトの前回の駆動から再駆動されるまでの前記装置本体内の平均温度が、所定の閾値温度以下であるか否かを判定し、前記平均温度が前記閾値温度以下である場合には前記予備回転を行って前記準備状態を調整してから前記画像形成を行い、一方、前記平均温度が前記閾値温度より高い場合には前記予備回転を行うことなく前記画像形成を行うと良い。
【００１７】
このような構成を採用することで、中間転写ベルトが変形し易い温度環境下で回転駆動せずに二次転写対向ローラー等の複数のローラーに巻き掛けられた状態（放置状態）が続いたときのように、中間転写ベルトに屈曲領域が生じ易い状況では、中間転写ベルトの予備回転を行うため、中間転写ベルトの変形に起因する画像濃度のムラや転写性能の悪化等の不具合を確実に回避することができる。一方、中間転写ベルトが変形し難い温度環境下で放置状態が続いたときのように、中間転写ベルトに屈曲領域が生じ難い状況では、中間転写ベルトの予備回転を行うことなく画像形成を行うため、処理時間を短縮すると共に電力消費を軽減することが可能である。
【００１８】
前記制御部は、前記中間転写ユニットが交換されたか否かを判定し、前記中間転写ユニットが交換された場合には前記予備回転を行って前記準備状態を調整してから前記画像形成を行うと良い。
【００１９】
このような構成を採用することで、長期間使用されずに保存されていた交換用の中間転写ユニットを用いる場合には、初めに中間転写ベルトの予備回転を行うため、中間転写ベルトの変形に起因する画像濃度のムラや転写性能の悪化等の不具合を確実に回避することができる。
【発明の効果】
【００２０】
本発明によれば、中間転写ベルトの位相を特定する部材を備えることなく、中間転写ベルトに癖付きが生じる屈曲領域に対する画像形成を回避することが可能となる。
【図面の簡単な説明】
【００２１】
【図１】本発明の実施形態に係るカラープリンターの構成を概要的に示す断面図である。
【図２】本発明の実施形態に係るカラープリンターにおける中間転写ユニット及びその周辺を概要的に示す断面図である。
【図３】本発明の実施形態に係るカラープリンターの電気的構成を示すブロック図である。
【図４】カラープリンターにおいて中間転写ベルトに癖付きが生じた場合に形成される画像の例を示す模式図である。
【図５】本発明の実施形態に係るカラープリンターの中間転写ユニットにおいて、癖付きが生じやすい中間転写ベルトのベルト屈曲位置を概要的に示す断面図である。
【図６】本発明の実施形態に係るカラープリンターの中間転写ユニットにおいて、中間転写ベルトの準備状態を概要的に示す断面図である。
【図７】本発明の実施形態に係るカラープリンターの中間転写ユニットにおいて、中間転写ベルトの予備回転における予備回転距離を概要的に示す断面図である。
【図８】本発明の実施形態に係るカラープリンターにおいて、中間転写ベルトの予備回転を伴う画像形成動作を示すタイミングチャートである。
【図９】本発明の実施形態に係るカラープリンターにおいて、中間転写ベルトの予備回転を伴う画像形成動作を示すタイミングチャートである。
【図１０】カラープリンターにおいて、中間転写ベルトの停止期間と、中間転写ベルトの予備回転を行わない場合に画像形成処理をしたときの画像判定結果との関係を示す表である。
【図１１】本発明の実施形態に係るカラープリンターにおいて、中間転写ベルトの停止期間と、中間転写ベルトの予備回転の有無と、画像形成処理をしたときの画像判定結果との関係を示す表である。
【図１２】カラープリンターにおいて、中間転写ベルトの停止期間と、プリンター本体の機内温度との関係を示すグラフである。
【図１３】本発明の実施形態に係るカラープリンターにおいて、中間転写ベルトの予備回転を伴う画像形成動作を示すタイミングチャートである。
【図１４】カラープリンターにおいて、中間転写ベルトの停止中のプリンター本体の機内温度と、中間転写ベルトの後処理を行わない場合に画像形成処理をしたときの画像判定結果との関係を示す表である。
【図１５】本発明の実施形態に係るカラープリンターにおいて、中間転写ベルトの停止中のプリンター本体の機内温度と、中間転写ベルトの予備回転の有無と、画像形成処理をしたときの画像判定結果との関係を示す表である。
【図１６】カラープリンターにおいて、中間転写ベルトの停止時間と、プリンター本体の機内温度との関係を示すグラフである。
【発明を実施するための形態】
【００２２】
まず、本発明の一実施形態に係るカラープリンター１（画像形成装置）の全体の構成について図１や図２を参照しながら説明する。以下、説明の便宜上、図１や図２における紙面手前側をカラープリンター１の前側とする。
【００２３】
カラープリンター１は、箱型形状のプリンター本体２を備える。プリンター本体２の下部には用紙（記録媒体）を収納した給紙カセット３が設けられる。プリンター本体２の上部には排紙トレイ４が設けられ、プリンター本体２の右側部には手差しトレイ５が設けられる。
【００２４】
プリンター本体２の中央部には、中間転写ユニット６が設けられる。中間転写ユニット６は、左端部に設けられる駆動ローラーとしての二次転写対向ローラー７と、右端部に設けられる従動ローラー８と、二次転写対向ローラー７及び従動ローラー８の間で上方に設けられるテンションローラー１０と、二次転写対向ローラー７の右下側に設けられるバックアップローラー１１と、二次転写対向ローラー７、従動ローラー８、テンションローラー１０及びバックアップローラー１１に巻き掛けられる中間転写ベルト１２（像担持体）と、中間転写ベルト１２の内側下部に沿って左右方向に並んで配置される４個の一次転写ローラー１３と、を備えている。また、中間転写ユニット６の右側には、クリーニング装置１４が設けられる。
【００２５】
中間転写ベルト１２は、例えば、基材層と、この基材層に周設される弾性層と、この弾性層を被覆する離型層とからなる無端形状のベルトである。中間転写ベルト１２の基材層は、例えば、ＰＶＤＦ（ポリフッ化ビニリデン）やポリイミド樹脂等によって構成される。中間転写ベルト１２の弾性層は、例えば、ヒドリンゴム、クロロプレンゴム又はポリウレタンゴム等のゴム材料によって構成される。中間転写ベルト１２の離型層は、例えば、アクリル、シリコン又はフッ素系樹脂等によって構成される。
【００２６】
プリンター本体２の中央部には、中間転写ユニット６の下側に４個の画像形成部１５が設けられている。４個の画像形成部１５は、トナーの色（例えば、中間転写ベルト１２の回転方向上流側からマゼンタ、シアン、イエロー、ブラックの４色）ごとに設けられている。各画像形成部１５には、感光体ドラム１６が回転可能に設けられ、感光体ドラム１６は、中間転写ベルト１２の下側の表面と接触していて、画像形成時に正面視で反時計回り（図１の矢印Ｑ参照）に回転する。また、各画像形成部１５は、感光体ドラム１６の周囲に帯電器１７、現像器１８、一次転写部２０（転写部）及びクリーニング部２１等を備える。一次転写部２０は、一次転写ローラー１３及び感光体ドラム１６が中間転写ベルト１２を挟んで対向するように配置されて構成される。
【００２７】
プリンター本体２の下部には、４個の画像形成部１５の下方に露光装置２２が配置されている。露光装置２２は、例えば、レーザー・スキャニング・ユニット（ＬＳＵ）で構成されている。
【００２８】
プリンター本体２の上部には、中間転写ユニット６の上方に４個のトナーコンテナ２３が設けられている。トナーコンテナ２３は、トナーの色（例えば、中間転写ベルト１２の回転方向上流側からマゼンタ、シアン、イエロー、ブラックの４色）ごとに設けられている。
【００２９】
プリンター本体２の左部には、用紙の搬送経路２４が上下方向に設けられ、搬送経路２４の左側には、両面印刷用の反転経路２５が設けられている。搬送経路２４の上流端には第１給紙搬送部２６が給紙カセット３の近傍に設けられ、搬送経路２４の中流部には二次転写部２７（転写部）が中間転写ユニット６の左側に設けられ、搬送経路２４の下流部には定着装置２８が設けられ、搬送経路２４の下流端には排紙部３０が設けられる。また、排紙部３０は、反転経路２５を介して搬送経路２４の二次転写部２７よりも上流側の部分と接続されている。
【００３０】
また、搬送経路２４は、第１給紙搬送部２６の下流側で、手差しトレイ５から用紙を搬送する第２給紙搬送部３１や、プリンター本体２の底面にオプションとして設置される追加給紙カセット（図示せず）から用紙を搬送する第３給紙搬送部３２と接続している。
【００３１】
二次転写部２７は、二次転写ローラー３３を備え、二次転写ローラー３３は、中間転写ベルト１２の左側の表面と接触している。二次転写部２７は、二次転写ローラー３３及び中間転写ユニット６の二次転写対向ローラー７が中間転写ベルト１２を挟んで対向するように配置されて構成される。
【００３２】
次に、このような構成を備えたカラープリンター１の画像形成動作について説明する。カラープリンター１に電源が投入されると、各種パラメーターが初期化され、定着装置２８の温度設定等の初期設定が実行される。そして、カラープリンター１に接続されたコンピューター等から画像データが入力され、印刷開始の指示がなされると、以下のようにして画像形成動作が実行される。
【００３３】
まず、各画像形成部１５において、帯電器１７によって感光体ドラム１６の表面が帯電された後、露光装置２２からのレーザー光（矢印Ｐ参照）により感光体ドラム１６の表面に静電潜像が形成される。次に、この静電潜像を、トナーコンテナ２３から供給されるトナーによって現像器１８が対応する色のトナー像に現像する。このトナー像は、一次転写部２０において中間転写ベルト１２の表面に一次転写される。以上の動作を各画像形成部１５が順次繰り返すことによって、中間転写ベルト１２上にフルカラーのトナー像が形成される。なお、感光体ドラム１６上に残留したトナー及び電荷は、クリーニング部２１や除電器（図示せず）によって除去される。
【００３４】
一方、第１給紙搬送部２６や第２給紙搬送部３１によって給紙カセット３や手指しトレイ５から取り出されて搬送経路２４へと給紙搬送された用紙は、上記した画像形成動作とタイミングを合わせて二次転写部２７へと搬送され、二次転写部２７において、中間転写ベルト１２上のフルカラーのトナー像が用紙に二次転写される。トナー像を二次転写された用紙は、搬送経路２４を下流側へと搬送されて定着装置２８に進入し、この定着装置２８において用紙にトナー像が定着される。トナー像が定着された用紙は、排紙部３０から排紙トレイ４上に排出される。
【００３５】
次に、カラープリンター１の電気的な構成について説明する。
【００３６】
図３に示されるように、カラープリンター１には、ＣＰＵ等からなる制御部４０と、制御部４０に接続されたＲＯＭやＲＡＭ等の記憶装置からなる記憶部４１と、を備える。制御部４０は、記憶部４１に格納された制御プログラムや制御用データに基づいて、カラープリンター１の各部の制御を行う。
【００３７】
また、制御部４０には、現像器１８、露光装置２２、排紙部３０、ベルト駆動部４５、搬送駆動部４６、帯電バイアス印加部４７、一次転写バイアス印加部４８、二次転写バイアス印加部５０、停止期間計測部５１、温度センサー５２、予備回転判定部５３、排紙センサー５４等が接続されている。
【００３８】
ベルト駆動部４５は、モーター等からなり、中間転写ユニット６の二次転写対向ローラー７に接続されている。そして、ベルト駆動部４５が、制御部４０による制御に応じて駆動ローラーとしての二次転写対向ローラー７を回転させることで、二次転写対向ローラー７の回転に応じて中間転写ベルト１２が回転し、例えば、中間転写ベルト１２は、画像形成時に正面視で時計回り（図１の矢印Ｒ参照）に回転する。
【００３９】
搬送駆動部４６は、モーター等からなり、搬送経路２４、反転経路２５、第１給紙搬送部２６、第２給紙搬送部３１及び第３給紙搬送部３２をそれぞれ構成する搬送ローラーに接続されている。そして、搬送駆動部４６が、制御部４０による制御に応じて各搬送ローラーを回転させることで、搬送経路２４、反転経路２５、第１給紙搬送部２６、第２給紙搬送部３１及び第３給紙搬送部３２を作動させて用紙の給紙や搬送が可能となる。
【００４０】
帯電バイアス印加部４７は、各画像形成部１５の帯電器１７に接続されている。そして、帯電バイアス印加部４７が、制御部４０による制御に応じて帯電器１７に帯電バイアスを印加することで、帯電器１７に接触した感光体ドラム１６を帯電させる。
【００４１】
一次転写バイアス印加部４８は、各画像形成部１５の一次転写ローラー１３に接続されている。制御部４０は、各画像形成部１５の感光体ドラム１６が回転して感光体ドラム１６に形成されたトナー像が中間転写ベルト１２に達するときに、一次転写バイアス印加部４８に対して一次転写バイアスの印加を指示する。そして、一次転写バイアス印加部４８が、制御部４０による制御に応じて一次転写ローラー１３に一次転写バイアスを印加することで、中間転写ベルト１２を挟んで一次転写ローラー１３と対向する感光体ドラム１６に形成されたトナー像が中間転写ベルト１２に一次転写される。
【００４２】
二次転写バイアス印加部５０は、二次転写ローラー３３に接続されている。制御部４０は、中間転写ベルト１２が回転して中間転写ベルト１２に一次転写されたトナー像が二次転写部２７に達すると共に、搬送経路２４が作動して用紙が二次転写部２７に達するときに、二次転写バイアス印加部５０に対して二次転写バイアスの印加を指示する。そして、二次転写バイアス印加部５０が、制御部４０による制御に応じて二次転写ローラー３３に二次転写バイアスを印加することで、中間転写ベルト１２に転写されたトナー像が搬送経路２４を搬送される用紙に二次転写される。
【００４３】
停止期間計測部５１は、中間転写ベルト１２の前回の駆動から今回再駆動されるまでの停止期間を計測するもので、例えば、タイマーや時計回路等を用いて停止期間を計測する。なお、停止期間計測部５１は、記憶部４１によって記憶されたプログラムで構成されて制御部４０によって実行されるものでもよい。例えば、停止期間計測部５１は、中間転写ベルト１２の前回の駆動日時を計測して記憶部４１に記憶し、また、中間転写ベルト１２の今回の再駆動日時を計測して、記憶部４１に記憶された前回の駆動日時との差を算出することで停止期間を計測する。
【００４４】
温度センサー５２は、プリンター本体２内に設けられ、プリンター本体２の機内温度を検知して制御部４０へと通知して記憶部４１に記憶させる。なお、温度センサー５２は、中間転写ベルト１２の近傍に配置されて中間転写ベルト１２周辺の温度を検知するように構成されてもよい。温度センサー５２は、例えば、カラープリンター１がスリープ状態のときに作動して、あるいは、カラープリンター１の主電源がオフのときに電池等の他の電源からの電力供給を受けて作動して、所定の時間間隔毎にプリンター本体２の機内温度を検知する。
【００４５】
予備回転判定部５３は、中間転写ユニット６の中間転写ベルト１２の予備回転を行うか否かを判定する。中間転写ベルト１２の予備回転は、中間転写ベルト１２のベルト屈曲部分（癖付き部分）にトナー画像の転写等の画像形成が行われないように、画像形成前に中間転写ベルト１２を回転駆動する動作である。中間転写ベルト１２のベルト屈曲部分については後述する。なお、予備回転判定部５３は、記憶部４１によって記憶されたプログラムで構成されて制御部４０によって実行されるものでもよい。
【００４６】
例えば、予備回転判定部５３は、停止期間計測部５１で計測された停止期間が所定の閾値期間、例えば、２４時間以上であるか否かを判定する。制御部４０は、停止期間が閾値期間以上である場合には中間転写ベルト１２の予備回転を行って中間転写ベルト１２の後述する準備状態を調整してから画像形成を行い、一方、停止期間が閾値期間より短い場合には予備回転を行うことなく画像形成を行う。
【００４７】
排紙センサー５４は、排紙部３０の近傍、例えば、用紙の搬送方向において排紙部３０の下流側に設けられ、用紙が排紙部３０によって排紙されるタイミングを検知して制御部４０へと通知する。
【００４８】
次に、図１や図２に加えて図４〜図７を参照して、中間転写ユニット６における中間転写ベルト１２について更に説明する。
【００４９】
中間転写ユニット６では、中間転写ベルト１２は、左右方向に並列に配置された一次転写ローラー１３の下側に沿って左右方向に延びていて、左端で二次転写対向ローラー７及びバックアップローラー１１に巻き掛けられると共に、右端で従動ローラー８に巻き掛けられている。即ち、中間転写ベルト１２には、左右方向の張力が生じている。特に、駆動ローラーとしての二次転写対向ローラー７は、中間転写ベルト１２を回転駆動するために、中間転写ベルト１２の二次転写対向ローラー７よりも上流側の部分を多少引っ張ることになる。また、二次転写対向ローラー７より小径のバックアップローラー１１は、左右方向に延びた中間転写ベルト１２の軌道を上方へと湾曲させているため、中間転写ベルト１２のバックアップローラー１１に掛かる部分を鋭く湾曲させることになる。従って、中間転写ベルト１２が回転駆動せずに二次転写対向ローラー７、従動ローラー８、テンションローラー１０及びバックアップローラー１１に巻き掛けられた状態（放置した状態）が長時間続くと、特に、左右方向に延びる中間転写ベルト１２の端部側で上下方向に並んで配置された二次転写対向ローラー７及びバックアップローラー１１に掛かる位置Ａ１の領域（屈曲領域）Ａ２に癖付きが生じることがある（図５参照）。このような中間転写ベルト１２の屈曲領域Ａ２に対して画像形成処理を行うと、図４に示すように、用紙６０に形成された画像６１では、二次転写対向ローラー７への巻き始め部分６２やバックアップローラー１１での巻き終わり部分６３で、画像濃度のムラや転写性能の悪化等の画像不良が生じることがある。
【００５０】
ところで、本実施形態において、中間転写ベルト１２は、画像形成を行う前に準備状態に保持される（図６参照）。中間転写ベルト１２が準備状態に保持されているときに中間転写ベルト１２の回転方向において一次転写部２０よりも上流側の回転位置を転写準備位置Ｂ１とする。この転写準備位置Ｂ１にある中間転写ベルト１２の領域Ｂ２が、画像形成を行う際に一次転写部２０による一次転写や二次転写部２７による二次転写の対象となる中間転写ベルト１２の転写領域Ｂ２となる。中間転写ベルト１２が準備状態に保持されているときに中間転写ベルト１２の回転方向において一次転写部２０よりも上流側で且つ転写準備位置Ｂ１よりも下流側の位置Ｃ１を退避位置Ｃ１とする。この退避位置Ｃ１にある中間転写ベルト１２の領域は、画像形成の開始直後（中間転写ベルト１２の駆動直後）に転写領域Ｂ２となることはない。
【００５１】
また、中間転写ベルト１２が長時間放置されたときに癖付きが生じ易い回転位置があれば、この位置をベルト屈曲位置（癖付き位置）Ａ１とする。例えば、上記したように、二次転写対向ローラー７及びバックアップローラー１１に当接する中間転写ベルト１２の位置がベルト屈曲位置Ａ１となる。中間転写ベルト１２の予備回転前にベルト屈曲位置にあった中間転写ベルト１２の領域を屈曲領域（癖付き領域）Ａ２と称し、例えば、二次転写対向ローラー７及びバックアップローラー１１に当接して屈曲していた中間転写ベルト１２の領域Ａ２が屈曲領域Ａ２となる。
【００５２】
カラープリンター１は、少なくとも、上記した中間転写ベルト１２の退避位置Ｃ１やベルト屈曲位置Ａ１を予め記憶部４１に記憶しておく。また、カラープリンター１は、例えば、中間転写ベルト１２のベルト屈曲位置Ａ１から退避位置Ｃ１までの予備回転距離Ｄ１（図７参照）や、中間転写ベルト１２の予備回転を行って予備回転距離Ｄ１だけ回転駆動する際の駆動速度及び駆動時間を予め記憶部４１に記憶しておく。なお、中間転写ベルト１２の１周分の長さは、例えば、８４５ｍｍであり、予備回転距離の長さは、例えば、４００ｍｍである（図８や図９参照）。
【００５３】
次に、図８〜図９を参照して、中間転写ユニット６における中間転写ベルト１２の予備回転を伴う画像形成動作について説明する。なお、図８及び図９では、各画像形成部１５の内、イエロー及びブラックに対応する各画像形成部１５の画像形成動作について図示するが、シアン及びマゼンタに対応する各画像形成部１５の画像形成動作については図示を省略する。
【００５４】
先ず、カラープリンター１では、制御部４０に接続された停止期間計測部５１が停止期間を計測すると共に、制御部４０に接続された予備回転判定部５３が、停止期間計測部５１で計測された停止期間が所定の閾値期間以上であるか否かを判定して中間転写ベルト１２の予備回転を行うか否かを判定する。
【００５５】
中間転写ベルト１２の予備回転を行う場合、制御部４０がベルト駆動部４５を制御して中間転写ベルト１２を回転駆動し、予備回転前（Ｔ１）にベルト屈曲位置Ａ１にあった中間転写ベルト１２の領域Ａ２（屈曲領域Ａ２）を図６に示す退避位置Ｃ１まで移動させる（Ｔ２）。制御部４０は、画像形成が行われるまでこの予備回転後の状態を準備状態として中間転写ベルト１２を保持する。
【００５６】
上記したように中間転写ベルト１２の準備状態を調整して画像形成を開始するとき、先ず、制御部４０がベルト駆動部４５を制御して中間転写ベルト１２の回転駆動を開始すると共に、制御部４０が搬送駆動部４６を制御して搬送経路２４等を介した用紙の搬送を開始する（Ｔ３）。このときの中間転写ベルト１２の回転駆動により転写領域Ｂ２が各画像形成部１５に進入する。
【００５７】
そして、制御部４０は、各画像形成部１５による画像形成を開始して、先ず、帯電バイアス印加部４７を制御して帯電器１７に帯電バイアスを印加して感光体ドラム１６を帯電させる（Ｔ４）。次に、制御部４０は、露光装置２２を制御して感光体ドラム１６の表面に静電潜像を形成し（Ｔ５）、現像器１８を制御して感光体ドラム１６の静電潜像をトナー像に現像する。更に、制御部４０は、一次転写バイアス印加部４８を制御して一次転写ローラー１３に一次転写バイアスを印加して感光体ドラム１６に形成されたトナー像を中間転写ベルト１２の転写領域Ｂ２に一次転写させる（Ｔ６）。例えば、帯電バイアス印加部４７による帯電バイアスの印加時間、露光装置２２による露光時間、一次転写バイアス印加部４８による一次転写バイアスの印加時間等の動作時間は、形成される画像の用紙サイズ（中間転写ベルト１２の転写領域Ｂ２の長さ）によって変化する。画像の用紙サイズがＡ４横サイズの場合には、図８に示すように、各動作時間は画像２１０ｍｍ分の長さになり、画像の用紙サイズがＡ３横サイズの場合には、図９に示すように、各動作時間は画像４２０ｍｍ分の長さになる。
【００５８】
なお、中間転写ベルト１２の領域Ａ２（屈曲領域Ａ２）は、中間転写ベルト１２の転写領域Ｂ２が二次転写部２７に進入する前、例えば、ブラックの画像形成部１５で処理される頃に、二次転写部２７を通過する（Ｔ７）。
【００５９】
中間転写ベルト１２の領域Ａ２（屈曲領域Ａ２）が二次転写部２７の通過を終えた後、中間転写ベルト１２の転写領域Ｂ２が二次転写部２７に進入するときに、制御部４０は、二次転写部２７による二次転写を開始する（Ｔ８）。このとき、制御部４０は、二次転写バイアス印加部５０を制御して二次転写ローラー３３に二次転写バイアスを印加して中間転写ベルト１２に転写されたトナー像を搬送経路２４に搬送される用紙に二次転写させる。なお、中間転写ベルト１２の回転方向において、転写領域Ｂ２（トナー像）の後部がブラックの画像形成部１５で未だ画像形成処理の途中でも、転写領域Ｂ２（トナー像）の先頭が二次転写部２７に達していれば、二次転写部２７は、画像形成が済んだトナー像の先頭部分から順に二次転写を行ってよい。
【００６０】
そして、二次転写部２７による二次転写が終了すると、制御部４０は、排紙部３０を駆動して画像形成された用紙を排紙トレイ４へと排紙すると共に、排紙センサー５４を制御して、排紙が適切に行われたかを確認する（Ｔ９）。その後、制御部４０は、搬送駆動部４６による搬送経路２４等の作動を停止させる（Ｔ１０）。なお、制御部４０は、用紙が排紙部３０から排紙された後も、ベルト駆動部４５を制御して中間転写ベルト１２の回転駆動を継続し、後処理として中間転写ベルト１２を１周分回転させてから中間転写ベルト１２の駆動を停止する（Ｔ１１）。これにより、中間転写ベルト１２の領域Ａ２（屈曲領域Ａ２）は、画像形成処理後に退避位置Ｃ１まで移動する。
【００６１】
図１０では、中間転写ベルト１２の停止期間（放置期間）と、中間転写ベルト１２の予備回転を行わない場合に画像形成処理をしたときの画像判定結果との関係を表に示す。図１０の画像判定結果は、画像不良が生じない場合を○で示し、画像不良が生じた場合を×で示す。図１０によれば、中間転写ベルト１２の停止期間が２４時間以上になると、中間転写ベルト１２に癖付きが生じ易くなり、これに伴って、画像濃度のムラや転写性能の悪化等の画像不良が生じる。
【００６２】
なお、このときに温度センサー５２で検知されるプリンター本体２の機内温度は、例えば、図１２に示すように、カラープリンター１の電源をオフにした直後には２０度でも、その後１５度程度まで低下する。
【００６３】
また、図１１では、中間転写ベルト１２の停止期間と、中間転写ベルト１２の予備回転と共に画像形成処理をしたときの画像判定結果との関係を表に示す。本実施形態では、予備回転判定部５３によって、停止期間計測部５１で計測された停止期間が所定の閾値期間（２４時間）以上であると判定された場合、即ち、放置期間が長い場合に、制御部４０が中間転写ベルト１２の予備回転を行うように各部を制御する。図１１によれば、中間転写ベルト１２の停止期間が２４時間以上のとき、中間転写ベルト１２に癖付きが生じていても、中間転写ベルト１２の予備回転を行っているため、画像濃度のムラや転写性能の悪化等の画像不良は生じていない。
【００６４】
なお、予備回転判定部５３によって、停止期間計測部５１で計測された停止期間が所定の閾値期間（２４時間）未満であると判定された場合、即ち、放置期間が短い場合には、中間転写ベルト１２にほとんど癖付きが生じない。そのため、図１３に示すように、制御部４０及びベルト駆動部４５による中間転写ベルト１２の上記の後処理を行うことなく、中間転写ベルト１２でベルト屈曲位置Ａ１にあった領域Ａ２を、再度、ベルト屈曲位置Ａ１まで移動させた後、中間転写ベルト１２の駆動を停止するように構成してもよい。
【００６５】
本実施形態によれば、上述のように、カラープリンター１は、複数のローラーと、これらの複数のローラーによって張架された中間転写ベルト１２と、を有する中間転写ユニット６と、中間転写ベルト１２の所定の転写領域Ｂ２にトナー像を転写する一次転写部２０と、画像形成を行うときに、所定の回転方向における中間転写ベルト１２の回転駆動を制御する制御部４０と、を備える。上記した複数のローラーは、一次転写部２０に設けられる感光体ドラム１６に対向して配置され、中間転写ベルト１２上にトナー像を転写する一次転写ローラー１３と、中間転写ベルト１２に形成されたトナー像を用紙（記録媒体）に転写する二次転写ローラー３３に対向して配置された二次転写対向ローラー７と、中間転写ベルト１２の回転方向において、二次転写対向ローラー７よりも上流側かつ一次転写ローラー１３（例えば、最下流側のブラック用の一次転写ローラー１３）よりも下流側の位置に配置されたバックアップローラー１１と、を含む。中間転写ユニット６は、二次転写対向ローラー７とバックアップローラー１１とによって中間転写ベルト１２が屈曲されるように構成されている。中間転写ベルト１２は、画像形成を行う前に、転写領域Ｂ２が回転方向において一次転写部２０よりも上流側の転写準備位置Ｂ１に位置するように準備状態に保持される。制御部４０は、画像形成を行う前に、準備状態を調整する中間転写ベルト１２の予備回転を行って、予備回転前にベルト屈曲位置Ａ１にあった中間転写ベルト１２の屈曲領域Ａ２が、回転方向においてバックアップローラー１１よりも上流側で且つ転写準備位置Ｂ１よりも下流側の退避位置Ｃ１に位置するように、中間転写ベルト１２の回転駆動を制御する。
【００６６】
このように、中間転写ベルト１２に癖付きが生じ易い回転位置（ベルト屈曲位置Ａ１）がある場合、ベルト屈曲位置Ａ１にあった中間転写ベルト１２の屈曲領域Ａ２を、中間転写ベルト１２の転写領域Ｂ２とならない退避位置Ｃ１へと移動させるため、１枚ずつの印字や複数枚の内の１枚目の印字において、中間転写ベルト１２の屈曲領域Ａ２に画像形成処理が行われることを防ぐことができる。これにより、トナー像を感光体ドラム１６から中間転写ベルト１２に転写させる一次転写工程や、トナー像を中間転写ベルト１２から用紙に転写させる二次転写工程で、中間転写ベルト１２の変形に起因する画像濃度のムラや転写性能の悪化等の不具合を回避することができる。このように、本発明によれば、中間転写ベルトの位相を特定する部材を備えることなく、中間転写ベルトの屈曲領域Ａ２に対する画像形成を回避することが可能となる。
【００６７】
また、本実施形態によれば、制御部４０は、二次転写対向ローラー７及びバックアップローラー１１に当接して屈曲していた中間転写ベルト１２の領域を屈曲領域Ａ２として中間転写ベルト１２の予備回転を行う。
【００６８】
これにより、二次転写対向ローラー７及びバックアップローラー１１での当接及び屈曲により中間転写ベルト１２に屈曲領域Ａ２が生じた場合でも、中間転写ベルト１２の変形に起因する画像濃度のムラや転写性能の悪化等の不具合を回避することができる。
【００６９】
更に、本実施形態によれば、カラープリンター１は、回転方向においてベルト屈曲位置Ａ１から退避位置Ｃ１まで中間転写ベルト１２を回転駆動させるための駆動速度及び駆動時間を記憶した記憶部４１を更に備える。そして、制御部４０は、中間転写ベルト１２の予備回転を行うとき、記憶部４１に記憶された駆動速度と駆動時間に基づいて、中間転写ベルト１２の回転駆動を制御する。
【００７０】
これにより、中間転写ベルト１２の予備回転を容易且つ正確に行うことが可能となる。
【００７１】
また、本実施形態によれば、制御部４０は、中間転写ベルト１２の前回の駆動から再駆動されるまでの停止期間が、所定の閾値期間以上であるか否かを判定し、停止期間が閾値期間以上である場合には予備回転を行って準備状態を調整してから画像形成を行い、一方、停止期間が閾値期間より短い場合には予備回転を行うことなく画像形成を行う。
【００７２】
これにより、中間転写ベルト１２が回転駆動せずに二次転写対向ローラー７等の複数のローラーに巻き掛けられた状態（放置状態）が長時間続いたときのように、中間転写ベルト１２に屈曲領域Ａ２が生じ易い状況では、中間転写ベルト１２の予備回転を行うため、中間転写ベルト１２の変形に起因する画像濃度のムラや転写性能の悪化等の不具合を確実に回避することができる。一方、中間転写ベルト１２の放置状態が短時間であり、中間転写ベルト１２に屈曲領域Ａ２が生じ難い状況では、中間転写ベルト１２の予備回転を行うことなく画像形成を行うため、処理時間を短縮すると共に電力消費を軽減することが可能である。
【００７３】
本実施形態では、予備回転判定部５３によって、停止期間計測部５１で計測された停止期間が所定の閾値期間以上であると判定された場合に、制御部４０が中間転写ベルト１２の予備回転を行うように各部を制御する構成を説明したが、予備回転判定部５３は、この構成に限定されない。例えば、他の実施形態では、予備回転判定部５３は、温度センサー５２で検知されたプリンター本体２の機内温度に基づいて、中間転写ユニット６の中間転写ベルト１２の前回の駆動から再駆動されるまでのプリンター本体２内の平均温度が、所定の閾値温度以下であるか否かを判定するように構成されてよい。そして、制御部４０は、プリンター本体２内の平均温度が閾値温度以下である場合には中間転写ベルト１２の予備回転を行って準備状態を調整してから画像形成を行い、一方、プリンター本体２内の平均温度が閾値温度より高い場合には予備回転を行うことなく画像形成を行うように構成されてよい。
【００７４】
これにより、中間転写ベルト１２が変形し易い温度環境下で回転駆動せずに二次転写対向ローラー７等の複数のローラーに巻き掛けられた状態（放置状態）が続いたときのように、中間転写ベルト１２に屈曲領域Ａ２が生じ易い状況では、中間転写ベルト１２の予備回転を行うため、中間転写ベルト１２の変形に起因する画像濃度のムラや転写性能の悪化等の不具合を確実に回避することができる。一方、中間転写ベルト１２が変形し難い温度環境下で放置状態が続いたときのように、中間転写ベルト１２に屈曲領域Ａ２が生じ難い状況では、中間転写ベルト１２の予備回転を行うことなく画像形成を行うため、処理時間を短縮すると共に電力消費を軽減することが可能である。
【００７５】
図１４では、中間転写ベルト１２の停止中（放置中）のプリンター本体２の機内温度（平均温度）と、中間転写ベルト１２の予備回転を行わない場合に画像形成処理をしたときの画像判定結果との関係を表に示す。図１４の画像判定結果は、画像不良が生じない場合を○で示し、画像不良が生じた場合を×で示す。図１４によれば、中間転写ベルト１２の停止中にプリンター本体２内の平均温度が１５度以下の場合に、中間転写ベルト１２に癖付きが生じ易くなり、これに伴って、画像濃度のムラや転写性能の悪化等の画像不良が生じる。
【００７６】
なお、このときに温度センサー５２で検知されるプリンター本体２の機内温度は、例えば、図１６に示すように、カラープリンター１の電源をオフにした直後には２０度で、その後１５度程度まで低下することもあるが、使用時期や、冷房や暖房の使用状況に応じてプリンター本体２の機内温度は変化し、上昇することもある。
【００７７】
また、図１５では、中間転写ベルト１２の停止中（放置中）のプリンター本体２の機内温度（平均温度）と、中間転写ベルト１２の予備回転と共に画像形成処理をしたときの画像判定結果との関係を表に示す。本実施形態では、予備回転判定部５３によって、温度センサー５２で検知されたプリンター本体２の機内温度（平均温度）が所定の閾値温度（１５度）以下であると判定された場合に、制御部４０が中間転写ベルト１２の予備回転を行うように各部を制御する。図１５によれば、プリンター本体２の機内温度が１５度以下のとき、中間転写ベルト１２に癖付きが生じていても、中間転写ベルト１２の予備回転を行っているため、画像濃度のムラや転写性能の悪化等の画像不良は生じていない。
【００７８】
あるいは、他の実施形態では、予備回転判定部５３は、中間転写ユニット６が交換されたか否かを判定するように構成されてもよい。そして、制御部４０は、中間転写ユニット６が交換された場合には中間転写ベルト１２の予備回転を行って準備状態を調整してから画像形成を行うように構成されてもよい。
【００７９】
これにより、長期間使用されずに保存されていた交換用の中間転写ユニット６を用いる場合には、初めに中間転写ベルト１２の予備回転を行うため、中間転写ベルト１２の変形に起因する画像濃度のムラや転写性能の悪化等の不具合を確実に回避することができる。
【００８０】
また、本実施形態では、二次転写対向ローラー７及びバックアップローラー１１に当接して屈曲する中間転写ベルト１２の回転位置をベルト屈曲位置Ａ１とすると共に、予備回転前にベルト屈曲位置にあった中間転写ベルト１２の領域を屈曲領域Ａ２とする構成を説明したが、中間転写ベルト１２のベルト屈曲位置Ａ１や屈曲領域Ａ２は、これらに限定されず、他の実施形態では、他の位置や他の領域であってもよい。
【００８１】
また、本実施形態では、中間転写ベルト１２の予備回転として、中間転写ベルト１２の屈曲領域Ａ２を、中間転写ベルト１２の回転方向において一次転写部２０よりも上流側で且つ転写準備位置Ｂ１よりも下流側の退避位置Ｃ１まで移動させる構成を説明したが、中間転写ベルト１２の予備回転はこの構成に限定されない。例えば、他の実施形態では、退避位置Ｃ１は、一次転写部２０よりも上流側で且つ転写準備位置Ｂ１よりも下流側の回転位置でなくてもよく、中間転写ベルト１２の再駆動時の準備状態において、中間転写ベルト１２の屈曲領域Ａ２が転写準備位置Ｂ１に配置されなければよい。
【００８２】
本実施形態では、カラープリンター１に本発明の構成を適用する場合について説明したが、他の異なる実施形態では、モノクロプリンター、複写機、ファクシミリ、複合機等の他の画像形成装置に本発明の構成を適用しても良い。
【符号の説明】
【００８３】
１  カラープリンター（画像形成装置）
２  プリンター本体
６  中間転写ユニット
７  二次転写対向ローラー
８  従動ローラー
１０  テンションローラー
１１  バックアップローラー
１２  中間転写ベルト
１３  一次転写ローラー
１５  画像形成部
１６  感光体ドラム
２０  一次転写部（転写部）
２７  二次転写部
３３  二次転写ローラー
４０  制御部
４１  記憶部
４５  ベルト駆動部
５１  停止時間計測部
５２  温度センサー
５３  予備回転判定部
【図１】
0006311680.tif 000002
【図２】
0006311680.tif 000003
【図３】
0006311680.tif 000004
【図４】
0006311680.tif 000005
【図５】
0006311680.tif 000006
【図６】
0006311680.tif 000007
【図７】
0006311680.tif 000008
【図８】
0006311680.tif 000009
【図９】
0006311680.tif 000010
【図１０】
0006311680.tif 000011
【図１１】
0006311680.tif 000012
【図１２】
0006311680.tif 000013
【図１３】
0006311680.tif 000014
【図１４】
0006311680.tif 000015
【図１５】
0006311680.tif 000016
【図１６】
0006311680.tif 000017